(57)【要約】      （修正有）【課題】適度に射出瞳の位置を変位させ、良好な観察像が得られる汎用性の高いファインダー用アタッチメント光学系及び防水カメラケースの提供。【解決手段】ファインダー光学系の射出側に配置されるファインダー用アタッチメント光学系が、ファインダー光学系側から順に、両凹負レンズと射出側面が凸形状の正レンズを有しており、以下の条件式（１）、（２）を満足する。  ０．６＜｜ｆ１／ｆ２｜＜１．０                        （１）  ０．０４５＜ＨＦ１／（ｄ１＋ｄ２＋ｄ３）＜０．０９１  （２）ただし、  ｆ１  ：負レンズの焦点距離  ｆ２  ：正レンズの焦点距離  ｄ１  ：負レンズの光軸上における厚さ  ｄ２  ：負レンズと正レンズとの間の光軸上における距離  ｄ３  ：正レンズの光軸上における厚さ  ＨＦ１：負レンズの入射側レンズ面の面頂点から負レンズの前側主点までの距離である。なお、前側とは光線の入射する側を意味する。【選択図】図１
2007003625.tif 000002
【特許請求の範囲】
【請求項１】
ファインダー光学系の射出側に配置され、該ファインダー光学系によって形成された物体像を観察するためのファインダー用アタッチメント光学系であって、
前記ファインダー用アタッチメント光学系は、前記ファインダー光学系側から順に、両凹形状の負レンズと射出側面が凸形状の正レンズを有しており、
以下の条件式（１）、（２）を満足することを特徴とするファインダー用アタッチメント光学系。
０．６  ＜       ｜ｆ１／ｆ２｜       ＜  １．０            （１）
０．０４５＜ＨＦ１／（ｄ１＋ｄ２＋ｄ３）＜０．０９１          （２）
ただし、
ｆ１  ：負レンズの焦点距離
ｆ２  ：正レンズの焦点距離
ｄ１  ：負レンズの光軸上における厚さ
ｄ２  ：負レンズと正レンズとの間の光軸上における距離
ｄ３  ：正レンズの光軸上における厚さ
ＨＦ１：負レンズの入射側レンズ面の面頂点から負レンズの前側主点までの距離
である。なお、前側とは光線の入射する側を意味する。
【請求項２】
以下の条件式（３）を満足することを特徴とする請求項１に記載のファインダー用アタッチメント光学系。
０．４＜（ｄ１＋ｄ２＋ｄ３）／ｆ２＜１．００                  （３）
【請求項３】
前記負レンズが以下の条件式（４）を満足することを特徴とする請求項１又は２に記載のファインダー用アタッチメント光学系。
−０．１５＜（Ｒ１＋Ｒ２）／（Ｒ１−Ｒ２）＜０．７０          （４）
ただし、
Ｒ１  ：負レンズの入射側レンズ面の近軸曲率半径
Ｒ２  ：負レンズの射出側レンズ面の近軸曲率半径
である。
【請求項４】
前記正レンズが両凸形状であり、以下の条件式（５）を満足することを特徴とする請求項１乃至３のいずれか１項に記載のファインダー用アタッチメント光学系。
−０．１５＜（Ｒ３＋Ｒ４）／（Ｒ３−Ｒ４）＜０．７５          （５）
ただし、
Ｒ３  ：正レンズの入射側レンズ面の近軸曲率半径
Ｒ４  ：正レンズの射出側レンズ面の近軸曲率半径
である。
【請求項５】
以下の条件式（６）、（７）を満足することを特徴とする請求項１乃至４のいずれか１項に記載のファインダー用アタッチメント光学系。
１２．００（ｍｍ）＜ｄ１＋ｄ２＋ｄ３＜２３．００（ｍｍ）      （６）
０．４１（ｍｍ） ＜     ＨＦ１     ＜ ２．００（ｍｍ）       （７）
【請求項６】
以下の条件式（８）を満足することを特徴とする請求項１乃至５のいずれか１項に記載のファインダー用アタッチメント光学系。
０．０８＜ｄ１／（ｄ１＋ｄ２＋ｄ３）＜０．３０                （８）
【請求項７】
以下の条件式（９）を満足することを特徴とする請求項１乃至６のいずれか１項に記載のファインダー用アタッチメント光学系。
０．０５＜ｄ２／（ｄ１＋ｄ２＋ｄ３）＜０．５０                （９）
【請求項８】
カメラを内蔵し水圧下において水の浸入を防止するケース体と、
前記ケース体に設置され、前記ケース体の外部から前記カメラの撮影条件を操作可能な操作手段と、
前記カメラのファインダー光学系と光学的に接続し、且つ、該ファインダー光学系の射出側に配置されたファインダー用アタッチメント光学系とを備えた防水カメラケースであって、
前記ファインダー用アタッチメント光学系が、請求項１乃至７のいずれか１項記載のファインダー用アタッチメント光学系であることを特徴とする防水カメラケース。
【発明の詳細な説明】
【技術分野】
【０００１】
本発明は、スチルカメラやビデオカメラ等に好適なファインダー用アタッチメント光学系であって、特に射出瞳の位置をファインダー光学系の最終面から離れた位置に変位させ、良好な物体像の観察を可能とするファインダー用アタッチメント光学系、及びそれを用いた防水カメラケースに関するものである。
【０００２】
従来、一眼レフカメラ等では、ファインダー光学系の接眼レンズの射出側に装着することにより、射出方向に離れた所定の位置において、観察者が物体像を観察することが可能となるファインダー用アタッチメント光学系が知られている。
【０００３】
また、そのようなファインダー用アタッチメント光学系を備えた防水カメラケースも知られている。なお、ここで防水カメラケースとは、カメラを水中で使用し撮影できるようにするために、カメラを内蔵し、水圧下においても水の浸入を完全に防止することを可能にしたケースをいう。一般にそのような防水カメラケースは、ケース体に設置されていてケース体の外部からカメラを操作し得る操作手段と、ケース体後部に設置されていて内蔵カメラのファインダー光学系と光学的に接続しているファインダー用アタッチメント光学系とを備えたものである。
【０００４】
このようなファインダー用アタッチメント光学系としては、例えば特許文献１に記載されている光学系のように、カメラと着脱可能であって、カメラのファインダー光学系の射出側に、該ファインダー光学系側から順に両凹負レンズと射出側の面が凸面である正レンズとを配置し、カメラのファインダー光学系の射出瞳を射出側に変位させるようにしたファインダー用アタッチメント光学系がある。また、上記のような防水カメラケースとしては、特許文献２に記載されている防水カメラケースのように、ファインダー用アタッチメント光学系を備えた防水カメラケースがある。
【特許文献１】特開平７−７２３８１号公報
【特許文献２】特開平９−８０６２３号公報
【発明の開示】
【発明が解決しようとする課題】
【０００５】
しかし、特許文献１に記載されたファインダー用アタッチメント光学系は、負レンズの前側（光学系に光線の入射する側）における主点位置（負レンズの入射側の面から前側主点までの距離）が浅い。そのため、負レンズの光軸上における厚さが薄く、射出瞳の位置を射出側に十分に変位させることが難しいか、もしくは、負レンズの入射側の面の屈折力が強すぎるため軸外収差を補正することが難しい。
【０００６】
また、このようなファインダー用アタッチメント光学系を防水カメラケースに内蔵して水中撮影を行う場合、防水カメラケースの操作キーを配するスペースが必要であることや水中マスクと撮影者の眼との間には所定の距離がある等のため、ファインダー用アタッチメント光学系において想定されている射出瞳の投影位置が撮影者の眼球の位置（アイポイント）とはなりにくく、射出瞳よりも射出側にアイポイントが位置してしまう。
【０００７】
さらに、特許文献２に記載されているカメラケースに備えられているファインダー用アタッチメント光学系は、負レンズと正レンズの間が離れすぎているため、負レンズをカメラの接眼レンズ部分に装着し、正レンズを防水カメラケースに装着する構成となっている。そのため、撮影準備に手間がかかってしまう。
【０００８】
また、負レンズと正レンズの間が大きく離れている場合、負レンズと正レンズの主点間隔が長くなるため、倍率が小さくなりやすい。また、倍率を高くするためには、両レンズの焦点距離を長くしなくてはならないが、その場合は軸外光束に対する負レンズの影響が弱くなり、正レンズにおける軸外光束の入射高が低くなるため、射出面から観察位置までの距離が短くなってしまう。
【０００９】
本発明はこのような問題点に鑑みてなされたものであり、倍率を維持しながら、適度に射出瞳の位置を変位させることが可能であって、しかも軸外収差を低減し、且つレンズによる偏心の影響も抑えつつ良好な観察像が得られるようにした汎用性の高いファインダー用アタッチメント光学系及びそれを用いた防水カメラケースを提供することである。
【課題を解決するための手段】
【００１０】
上記の目的を達成するために、本発明によるファインダー用アタッチメント光学系は、ファインダー光学系の射出側に配置され、該ファインダー光学系によって形成された物体像を観察するためのファインダー用アタッチメント光学系であって、前記ファインダー用アタッチメント光学系は、前記ファインダー光学系側から順に、両凹形状の負レンズと射出側面が凸形状の正レンズを有しており、以下の条件式（１）、（２）を満足するように構成する。
０．６  ＜       ｜ｆ１／ｆ２｜       ＜  １．０            （１）
０．０４５＜ＨＦ１／（ｄ１＋ｄ２＋ｄ３）＜０．０９１          （２）
ただし、
ｆ１  ：負レンズの焦点距離
ｆ２  ：正レンズの焦点距離
ｄ１  ：負レンズの光軸上における厚さ
ｄ２  ：負レンズと正レンズとの間の光軸上における距離
ｄ３  ：正レンズの光軸上における厚さ
ＨＦ１：負レンズの入射側レンズ面の面頂点から負レンズの前側主点までの距離
である。なお、前側とは光線の入射する側を意味する。
【００１１】
また、前記ファインダー用アタッチメント光学系は、以下の条件式（３）を満足するように構成すると好ましい。
０．４＜（ｄ１＋ｄ２＋ｄ３）／ｆ２＜１．００                  （３）
【００１２】
また、前記ファインダー用アタッチメント光学系は、前記負レンズが以下の条件式（４）を満足するように構成すると好ましい。
−０．１５＜（Ｒ１＋Ｒ２）／（Ｒ１−Ｒ２）＜０．７０          （４）
ただし、
Ｒ１  ：負レンズの入射側レンズ面の近軸曲率半径
Ｒ２  ：負レンズの射出側レンズ面の近軸曲率半径
である。
【００１３】
また、前記ファインダー用アタッチメント光学系は、前記正レンズが両凸形状であり、以下の条件式（５）を満足するように構成すると好ましい。
−０．１５＜（Ｒ３＋Ｒ４）／（Ｒ３−Ｒ４）＜０．７５          （５）
ただし、
Ｒ３  ：正レンズの入射側レンズ面の近軸曲率半径
Ｒ４  ：正レンズの射出側レンズ面の近軸曲率半径
である。
【００１４】
また、前記ファインダー用アタッチメント光学系は、以下の条件式（６）、（７）を満足するように構成すると好ましい。
１２．００（ｍｍ）＜ｄ１＋ｄ２＋ｄ３＜２３．００（ｍｍ）      （６）
０．４１（ｍｍ） ＜     ＨＦ１     ＜ ２．００（ｍｍ）       （７）
【００１５】
また、前記ファインダー用アタッチメント光学系は、以下の条件式（８）を満足するように構成すると好ましい。
０．０８＜ｄ１／（ｄ１＋ｄ２＋ｄ３）＜０．３０                （８）
【００１６】
さらに、前記ファインダー用アタッチメント光学系は、以下の条件式（９）を満足すると、より好ましい。
０．０５＜ｄ２／（ｄ１＋ｄ２＋ｄ３）＜０．５０                （９）
【００１７】
また、上記の目的を達成するために、本発明による防水カメラケースは、カメラを内蔵し水圧下において水の浸入を防止するケース体と、前記ケース体に設置され、前記ケース体の外部から前記カメラを操作し得る操作手段と、前記カメラのファインダー光学系と光学的に接続し且つ該ファインダー光学系の射出側に配置されたファインダー用アタッチメント光学系とを備えた防水カメラケースであって、前記ファインダー用アタッチメント光学系は上記いずれかのファインダー用アタッチメント光学系を用いて構成する。
【発明の効果】
【００１８】
本発明によれば、適度に射出瞳の位置を変位させ、軸外収差を低減し、倍率を維持し、レンズによる偏心の影響も抑えつつ良好な観察像が得られるようにした汎用性の高いファインダー用アタッチメント光学系及びそれを用いた防水カメラケースを得ることができる。
【発明を実施するための最良の形態】
【００１９】
ファインダー用アタッチメント光学系の焦点距離は、ほぼ無限大になる。このとき、ファインダー用アタッチメント光学系を、光線の入射側から順に、負レンズと正レンズとを有する構成とした場合、負レンズの屈折力が必然的に大きくなる。そのため、ファインダーからの射出光束が入射する負レンズを両凹形状とすることにより、負レンズの入射側レンズ面と射出側レンズ面に屈折力を分割して収差の発生を低減させることができる。さらに、負レンズの前側主点を適度に深い位置とすれば、射出瞳を射出側へと変位させることができる。また、後続する正レンズの射出側レンズ面が正屈折力を持つ凸面とすれば、負レンズと正レンズとの主点間隔を適度に確保しつつ両レンズを近づけ、正レンズに必要とされる屈折力を維持しながらアイレリーフを確保することができる。
【００２０】
そこで、本発明のファインダー用アタッチメント光学系は、ファインダー光学系の射出側に配置され、該ファインダー光学系によって形成された物体像を観察するためのファインダー用アタッチメント光学系であって、前記ファインダー用アタッチメント光学系は、前記ファインダー光学系側から順に、両凹形状の負レンズと射出側面が凸形状の正レンズを有しており、以下の条件式（１）、（２）を満足する構成とした。
０．６  ＜       ｜ｆ１／ｆ２｜       ＜  １．０            （１）
０．０４５＜ＨＦ１／（ｄ１＋ｄ２＋ｄ３）＜０．０９１          （２）
ただし、
ｆ１  ：負レンズの焦点距離
ｆ２  ：正レンズの焦点距離
ｄ１  ：負レンズの光軸上における厚さ
ｄ２  ：負レンズと正レンズとの間の光軸上における距離
ｄ３  ：正レンズの光軸上における厚さ
ＨＦ１：負レンズの入射側レンズ面の面頂点から負レンズの前側主点までの距離
である。なお、前側とは光線の入射する側を意味する。
【００２１】
条件式（１）は、負レンズと正レンズの焦点距離の比を規定するものであり、ファインダー用アタッチメント光学系の倍率を意味するものである。条件式（１）の下限を下回ると、ファインダー倍率の絶対値が小さくなりすぎてしまい、観察視野角が小さくなる。なお、本発明において前提となるレンズ構成では条件式（１）の上限を上回ることはない。
【００２２】
ここで、上記条件式（１）において、観察視野角を確保するためには、下限値を０．６３、更には０．６５とするとより好ましい。また、射出瞳をファインダー光学系から離れた位置へ変位させるためには、上限値を０．７８、更には０．７３とするとより好ましい。
【００２３】
条件式（２）は、負レンズの入射側レンズ面から正レンズの射出側レンズ面までの距離を分母とし、それに対する負レンズの前側主点位置（負レンズの入射側面頂点から前側主点までの長さ）を規定したものである。条件（２）の下限を下回ると、負レンズの厚さが薄くなりすぎてしまい、射出瞳をカメラ等のファインダー光学系から離れた位置へ変位することが難しくなる。または、主点位置が浅くなることにより負レンズの射出側レンズ面の屈折力が小さくなるため、もしくは、負レンズの入射側レンズ面の屈折力が大きくなるため、像面湾曲などの補正が難しくなる。条件式（２）の上限を上回ると、負レンズの厚さが厚くなりすぎるか、負レンズの射出側レンズ面の屈折力が強くなりすぎてしまい、全観察視野における収差の補正が難しくなる。もしくは、負レンズの入射側レンズ面から正レンズの射出側レンズ面までが短くなるため、長いアイレリーフを確保しようとすると正レンズの射出側レンズ面の曲率が大きくなりすぎてしまい、相互偏心等による収差への影響が大きくなる。
【００２４】
ここで、上記条件式（２）において、下限値を０．０４８、更には０．０５０とするとより好ましい。また、上限値を０．０８７、更には０．０８５とするとより好ましい。
【００２５】
また、本発明のファインダー用アタッチメント光学系は、以下の条件式（３）を満足することが好ましい。
０．４＜（ｄ１＋ｄ２＋ｄ３）／ｆ２＜１．００                  （３）
【００２６】
条件式（３）は、正レンズの焦点距離に対する負レンズの入射側レンズ面から正レンズの射出側レンズ面までの距離を規定したものである。条件式（３）の下限を下回ると、各レンズが薄くなり、観察位置をファインダー光学系から離れた位置へ変位させることが難しくなる。条件式（３）の上限を上回ると、各レンズが厚くなり、正レンズの後側主点が深くなりやすく、長いアイレリーフの確保が難しくなる。
【００２７】
ここで、上記条件式（３）において、下限値を０．４４、更には０．５０とするとより好ましい。また、上限値を０．７０、更には０．６０とするとより好ましい。
【００２８】
本発明は負レンズの主点位置を適度に深くすることにより負レンズの厚さを確保しやすくし、射出瞳の位置をカメラ等のファインダー光学系から離れた位置へ変位させやすくしたものである。この場合、負レンズの入射側レンズ面の曲率半径と射出側レンズ面の曲率半径とを適度に調整し、負レンズ自体で発生する軸外収差の補正を行うことが好ましい。
【００２９】
そこで、本発明のファインダー用アタッチメント光学系は、負レンズが以下の条件式（４）を満足することが好ましい。
−０．１５＜（Ｒ１＋Ｒ２）／（Ｒ１−Ｒ２）＜０．７０          （４）
ただし、
Ｒ１  ：負レンズの入射側レンズ面の近軸曲率半径
Ｒ２  ：負レンズの射出側レンズ面の近軸曲率半径
である。
【００３０】
条件式（４）は、負レンズの形状について規定したものである。条件式（４）の下限を下回ると、入射側レンズ面の曲率が大きくなり、一方、条件式（４）の上限を上回ると、射出側レンズ面の負屈折力が大きくなる。いずれの場合であっても、軸外光束の入射角が一方の面で大きくなり収差が発生しやすくなる。
【００３１】
ここで、上記条件式（４）において、下限値を−０．０８、更には０．０１とするとより好ましい。また、上限値を０．６０、更には０．５０とするとより好ましい。
【００３２】
また、本発明のファインダー用アタッチメント光学系は、以下の条件式（５）を満足することが好ましい。
−０．１５＜（Ｒ３＋Ｒ４）／（Ｒ３−Ｒ４）＜０．７５          （５）
ただし、
Ｒ３  ：正レンズの入射側レンズ面の近軸曲率半径
Ｒ４  ：正レンズの射出側レンズ面の近軸曲率半径
である。
【００３３】
条件式（５）の下限を下回ると、正レンズの入射側レンズ面の曲率が大きくなり、アイレリーフの確保が難しくなる。条件式（５）の上限を上回ると、正レンズの射出側レンズ面の曲率が大きくなり、この射出側レンズ面において収差が発生しやすくなる。
【００３４】
ここで、上記条件式（５）において、下限値を−０．０１、更には０．１０とするとより好ましい。また、上限値を０．７２、更には０．６９とするとより好ましい。
【００３５】
ファインダー用アタッチメント光学系のレンズを、水中撮影用の防水カメラケース等に設ける場合、ファインダー用アタッチメント光学系の射出面、すなわち正レンズの射出側レンズ面を観察者に適度に近づけるため、カメラ等の本体に備えられたファインダー光学系の射出面から正レンズの射出側レンズ面までの距離はある程度の長さを有するほうが望ましい。
【００３６】
そこで、本発明のファインダー用アタッチメント光学系は、また、以下の条件式（６）、（７）を満足することが好ましい。
１２．００（ｍｍ）＜ｄ１＋ｄ２＋ｄ３＜２３．００（ｍｍ）      （６）
０．４１（ｍｍ） ＜     ＨＦ１     ＜ ２．００（ｍｍ）       （７）
ただし、
ｄ１  ：負レンズの光軸上における厚さ
ｄ２  ：負レンズと正レンズとの間の光軸上における距離
ｄ３  ：正レンズの光軸上における厚さ
ＨＦ１：負レンズの入射側レンズ面の面頂点から負レンズの前側主点までの距離
である。なお、前側とは光線の入射する側を意味する。
【００３７】
条件式（６）の下限を下回ると、正レンズの射出側レンズ面がファインダー光学系に近くなり、射出瞳の位置を射出側へあまり変位させることができない。また、本発明のアタッチメント光学系を防水カメラケース等に用いる場合、変位させた射出瞳の位置がカメラに近くなってしまい、防水カメラケースに備えられているカメラ操作用の部材等が邪魔になり観察しにくくなる。条件式（６）の上限を上回ると、正レンズの射出側レンズ面がカメラから離れすぎてしまい、観察視野角が小さくなりやすくなる。
【００３８】
ここで、上記条件式（６）において、下限値を１３．５０ｍｍ、更には１５．００ｍｍとするとより好ましい。また、上限値を２０．０ｍｍ、更には１８．０ｍｍとするとより好ましい。
【００３９】
条件式（７）は、負レンズの入射側レンズ面の面頂点から負レンズの前側主点までの距離を規定するものである。条件式（７）の下限を下回ると、負レンズが薄くなり、ファインダー用アタッチメント光学系の全長を長くすることが難しくなる。また、負レンズの入射側レンズ面の屈折力が強くなりすぎてしまい、軸外収差の補正が難しくなる。条件式（７）の上限を上回ると、負レンズが厚くなりすぎてしまい、正レンズの入射側レンズ面における軸外収差補正の効果が得にくくなる。
【００４０】
ここで、条件式（７）において、下限値を０．５０ｍｍ、更には０．６５ｍｍとするとより好ましい。また、上限値を１．７０ｍｍ、更には１．５０ｍｍとするとより好ましい。
【００４１】
また、本発明のファインダー用アタッチメント光学系は、以下の条件式（８）を満足すると、より好ましい。
０．０８＜ｄ１／（ｄ１＋ｄ２＋ｄ３）＜０．３０                （８）
ただし、
ｄ１  ：負レンズの光軸上における厚さ
ｄ２  ：負レンズと正レンズとの間の光軸上における距離
ｄ３  ：正レンズの光軸上における厚さ
である。
【００４２】
条件式（８）は負レンズの光軸上における厚さを規定するものである。ファインダー用アタッチメント光学系の全長を適度な長さとしつつ、倍率を維持し易くするためには、負レンズの主点間隔が適度な長さとなるように、条件式（８）を満足することが好ましい。条件式（８）の下限を下回ると、負レンズの前側主点位置を深くすることが難しくなる。条件式（８）の上限を上回ると、負レンズが厚くなる、即ち負レンズの入射側レンズ面から射出側レンズ面までの距離が長くなり、収差を補正することが難しくなる。
【００４３】
ここで、条件式（８）において、下限値を０．１０、更には０．１２とするとより好ましい。また、上限値を０．２１、更には０．１８とするとより好ましい。
【００４４】
ファインダー用アタッチメント光学系の倍率の確保と全長の維持のため、負レンズの入射側レンズ面から正レンズの射出側レンズ面まで距離において、レンズの媒質が占有する割合を大きくすることが好ましい。従って、負レンズと正レンズとの間の光軸上の間隔が適度に短いことが好ましい。
【００４５】
そこで、本発明のファインダー用アタッチメント光学系は、以下の条件式（９）を満足することが好ましい。
０．０５＜ｄ２／（ｄ１＋ｄ２＋ｄ３）＜０．５０                （９）
ただし、
ｄ１  ：負レンズの光軸上における厚さ
ｄ２  ：負レンズと正レンズとの間の光軸上における距離
ｄ３  ：正レンズの光軸上における厚さ
である。
【００４６】
条件式（９）の下限を下回ると、負レンズと正レンズとの間の距離が短くなりすぎてしまい、コマ収差の補正が難しくなる。条件式（９）の上限を上回ると、負レンズと正レンズとの間の距離が長くなりすぎるため、適度な倍率の確保や全長の維持が難しくなる。
【００４７】
ここで、条件式（９）において、下限値を０．０８、更には０．１０とするとより好ましい。また、上限値を０．４５、更には０．４０とするとより好ましい。
【００４８】
また、本発明による防水カメラケースは、カメラを内蔵し水圧下において水の浸入を防止するケース体と、前記ケース体に設置され、前記ケース体の外部から前記カメラを操作可能な操作手段と、前記カメラのファインダー光学系と光学的に接続し且つ該ファインダー光学系の射出側に配置されたファインダー用アタッチメント光学系とを備えた防水カメラケースであって、前記ファインダー用アタッチメント光学系は上記いずれかのファインダー用アタッチメント光学系を用いる構成とした。
【００４９】
上述のファインダー用アタッチメント光学系は、射出瞳をカメラから射出側へと変位させるとともに、適度な倍率も得られ、軸外収差の補正も良好に成し得るものである。そこで、防水カメラケースにそれを用いることにより、水中撮影における被写体の観察を良好に行うことが可能となる。
【００５０】
なお、上記の本発明の各々の特徴的な事項のうち複数を同時に満足させるようにすれば、各々の効果が同時に得られるため、より好ましいものとなる。
【００５１】
以下、図示した実施例に基づき、本発明を詳細に説明する。
【００５２】
以下の各実施例におけるレンズの数値データにおいては、ｒは各レンズ面の曲率半径、Ｄは各レンズの肉厚または間隔、Ｎｄは各レンズのｄ線における屈折率、Ｖｄは各レンズのｄ線におけるアッベ数、ｋは円錐係数、Ａ4、Ａ6、Ａ8は非球面係数をそれぞれ示している。
また、非球面形状は、非球面係数を用いて以下の式で表される。但し、光軸方向の座標をＺ、光軸と垂直な方向の座標をＹとする。
Ｚ＝（Ｙ2／ｒ）／［１＋｛１−（１＋ｋ）・（Ｙ／ｒ）2｝1/2］
＋Ａ4Ｙ4＋Ａ6Ｙ6＋Ａ8Ｙ8
【実施例１】
【００５３】
図１は、ファインダー光学系と本実施例に係るファインダー用アタッチメント光学系の構成を示す図である。図２は、想定される射出瞳の位置におけるファインダー光学系の球面収差、非点収差、歪曲収差、倍率色収差を示す収差図である。図３は、想定されるアイポイントにおける本実施例に係るファインダー用アタッチメント光学系の球面収差、非点収差、歪曲収差、倍率色収差を示す収差図である。
【００５４】
まず、ファインダー光学系Ｌfについて説明する。このファインダー光学系Ｌfは、図１に示すように、該ファインダー光学系Ｌfを有するカメラ等の他の光学系によって得られる結像面側から順に、結像面側に凸面を向けた正メニスカスレンズＬf1、結像面側が非球面である両凸正レンズＬf2、両凹負レンズＬf3、カバーガラスＣＧにより構成されている。
【００５５】
次に、ファインダー光学系Ｌfを構成するレンズの数値データを示す。
【００５６】
視度  −１（１/ｍ）
瞳径（直径）  ８（ｍｍ）
射出半画角  １２．７９（°）
【００５７】
面               ｒ                Ｄ               Ｎｄ            Ｖｄ
1 （結像面）    ∞              72.13 
2              20.932            7.80             1.51633          64.14
3            1012.061            1.8464
4 *            21.015            5.22             1.52542          55.78
5            -782.022            3.6568
6             -68.933            1.80             1.58423          30.49
7              13.879            2.5
8               ∞               1.0              1.51633          64.14
9               ∞
なお、*印は非球面を表している。また、面番８はカバーガラスＣＧの入射側の面、面番９はカバーガラスＣＧの射出側の面である。
【００５８】
非球面係数
面        ｒ        ｋ            Ａ4    Ａ6    Ａ8 
4      21.015     0.000     -1.47489×10-5  -3.77827×10-8  -2.49840×10-10
【００５９】
なお、ファインダー光学系Ｌfにより想定される射出瞳は、カバーガラスＣＧの射出側の面から、ファインダー用アタッチメント光学系Ｌaの方向に約２０ｍｍ（１９．８０２３ｍｍ）の距離に位置している。図２に示す収差図はその位置における収差を示したものである。
【００６０】
次に、ファインダー用アタッチメント光学系Ｌaについて説明する。本実施例のファインダー用アタッチメント光学系Ｌaは、ファインダー光学系Ｌf側から順に、両凹負レンズＬa1、両凸正レンズＬa2により構成されている。なお、いずれのレンズ面も球面であるため、非球面を有するレンズに比べ製造コストを抑えることが可能である。
【００６１】
次に、ファインダー用アタッチメント光学系Ｌaを構成するレンズの数値データを示す。
【００６２】
面               ｒ                Ｄ               Ｎｄ            Ｖｄ
1             -45.003            2.10             1.51633          64.14
2              20.878            8.14
3              39.062            7.00             1.51633          64.14
4             -39.062
【００６３】
また、上記各条件式に係るデータは、
条件式（１）  ：  ｜ｆ１／ｆ２｜＝０．７０
条件式（２）  ：  ＨＦ１／（ｄ１＋ｄ２＋ｄ３）＝０．０５４
条件式（３）  ：  （ｄ１＋ｄ２＋ｄ３）／ｆ２＝０．４４２
条件式（４）  ：  （Ｒ１＋Ｒ２）／（Ｒ１−Ｒ２）＝０．３７
条件式（５）  ：  （Ｒ３＋Ｒ４）／（Ｒ３−Ｒ４）＝０．００
条件式（６）  ：  ｄ１＋ｄ２＋ｄ３＝１７．２４（ｍｍ）
条件式（７）  ：  ＨＦ１＝０．９４（ｍｍ）
条件式（８）  ：  ｄ１／（ｄ１＋ｄ２＋ｄ３）＝０．１２１８
条件式（９）  ：  ｄ２／（ｄ１＋ｄ２＋ｄ３）＝０．４７２
である。なお、
ｆ１＝−２７．３２４６（ｍｍ）
ｆ２＝３９．０１７（ｍｍ）
である。
【００６４】
また、ファインダー光学系ＬfのカバーガラスＣＧの射出側ガラス面から負レンズＬa1の入射側レンズ面頂点までの光軸Ｌｃ上における距離は７．６８ｍｍである。正レンズＬa2の射出側レンズ面の頂点から投影される射出瞳までの光軸Ｌｃ上における距離は、空気換算長で１２．２８ｍｍである。正レンズＬa2の射出側レンズ面から想定したアイポイントＥまでの光軸Ｌｃ上における距離は、空気換算長で２８．００ｍｍである。なお、図３に示す収差図はこのアイポイントＥ（撮影者眼球）の位置における収差を示したものである。
【実施例２】
【００６５】
図４は、ファインダー光学系と本実施例に係るファインダー用アタッチメント光学系の構成を示す図である。図５は、想定されるアイポイントにおける本実施例に係るファインダー用アタッチメント光学系の球面収差、非点収差、歪曲収差、倍率色収差を示す収差図である。
【００６６】
本実施例も実施例１と同様にファインダー光学系Ｌfの射出側に、ファインダー用アタッチメント光学系Ｌaを接続する構成となっている。このファインダー光学系Ｌfは実施例１と同様のものを用いているため、その説明は省略する。
【００６７】
本実施例のファインダー用アタッチメント光学系Ｌaは、実施例１と同様に、ファインダー光学系Ｌf側から順に、両凹負レンズＬa1、両凸正レンズＬa2により構成されている。なお、いずれのレンズ面も球面であるため、非球面を有するレンズに比べ製造コストを抑えることが可能である。
【００６８】
次に、ファインダー用アタッチメント光学系Ｌaを構成するレンズの数値データを示す。
【００６９】
面             ｒ                Ｄ               Ｎｄ            Ｖｄ
1           -31.4876           2.4221           1.51633          64.14
2            22.2548           5.5833
3            57.5968           9.1945           1.51633          64.14
4           -26.002
【００７０】
また、上記各条件式に係るデータは、
条件式（１）  ：  ｜ｆ１／ｆ２｜＝０．６９
条件式（２）  ：  ＨＦ１／（ｄ１＋ｄ２＋ｄ３）＝０．０５４
条件式（３）  ：  （ｄ１＋ｄ２＋ｄ３）／ｆ２＝０．４７７
条件式（４）  ：  （Ｒ１＋Ｒ２）／（Ｒ１−Ｒ２）＝０．１７
条件式（５）  ：  （Ｒ３＋Ｒ４）／（Ｒ３−Ｒ４）＝０．３８
条件式（６）  ：  ｄ１＋ｄ２＋ｄ３＝１７．２０（ｍｍ）
条件式（７）  ：  ＨＦ１＝０．９２１７（ｍｍ）
条件式（８）  ：  ｄ１／（ｄ１＋ｄ２＋ｄ３）＝０．１４０８
条件式（９）  ：  ｄ２／（ｄ１＋ｄ２＋ｄ３）＝０．３２５
である。なお、
ｆ１＝−２４．８７１７（ｍｍ）
ｆ２＝３６．０４５８（ｍｍ）
である。
【００７１】
また、ファインダー光学系ＬfのカバーガラスＣＧの射出側ガラス面から負レンズＬa1の入射側レンズ面頂点までの光軸Ｌｃ上における距離は５．８３ｍｍである。正レンズＬa2の射出側レンズ面の頂点から投影される射出瞳までの光軸Ｌｃ上における距離は、空気換算長で１１．４８ｍｍである。正レンズＬa2の射出側レンズ面から想定したアイポイントＥまでの光軸Ｌｃ上における距離は、空気換算長で２８．８６ｍｍである。なお、図５に示す収差図はこのアイポイントＥの位置における収差を示したものである。
【実施例３】
【００７２】
図６は、ファインダー光学系と本実施例に係るファインダー用アタッチメント光学系の構成を示す図である。図７は、想定されるアイポイントにおける本実施例に係るファインダー用アタッチメント光学系の球面収差、非点収差、歪曲収差、倍率色収差を示す収差図である。
【００７３】
本実施例も実施例１、実施例２と同様にファインダー光学系Ｌfの射出側に、ファインダー用アタッチメント光学系Ｌaを接続する構成となっている。このファインダー光学系Ｌfは実施例１、実施例２と同様のものを用いているため、その説明は省略する。
【００７４】
本実施例のファインダー用アタッチメント光学系Ｌaは、実施例１、実施例２と同様に、ファインダー光学系Ｌf側から順に、両凹負レンズＬa1、両凸正レンズＬa2、により構成されている。なお、いずれのレンズ面も球面であるため、非球面を有するレンズに比べ製造コストを抑えることが可能である。
【００７５】
次に、ファインダー用アタッチメント光学系Ｌaを構成するレンズの数値データを示す。
【００７６】
面             ｒ                Ｄ               Ｎｄ            Ｖｄ
1           -38.3925           2.05             1.51633          64.14
2            19.7235           7.51 
3            42.211            7.89             1.51633          64.14
4           -32.1496
【００７７】
また、上記各条件式に係るデータは、
条件式（１）  ：  ｜ｆ１／ｆ２｜＝０．６８
条件式（２）  ：  ＨＦ１／（ｄ１＋ｄ２＋ｄ３）＝０．０５１
条件式（３）  ：  （ｄ１＋ｄ２＋ｄ３）／ｆ２＝０．４７６
条件式（４）  ：  （Ｒ１＋Ｒ２）／（Ｒ１−Ｒ２）＝０．３２
条件式（５）  ：  （Ｒ３＋Ｒ４）／（Ｒ３−Ｒ４）＝０．１４
条件式（６）  ：  ｄ１＋ｄ２＋ｄ３＝１７．４４（ｍｍ）
条件式（７）  ：  ＨＦ１＝０．８８（ｍｍ）
条件式（８）  ：  ｄ１／（ｄ１＋ｄ２＋ｄ３）＝０．１１７４
条件式（９）  ：  ｄ２／（ｄ１＋ｄ２＋ｄ３）＝０．４３０
である。なお、
ｆ１＝−２４．９３５９（ｍｍ）
ｆ２＝３６．６７（ｍｍ）
である。
【００７８】
また、ファインダー光学系ＬfのカバーガラスＣＧの射出側ガラス面から負レンズＬa1の入射側レンズ面頂点までの光軸Ｌｃ上における距離は７．８１ｍｍである。正レンズＬa2の射出側レンズ面の頂点から投影される射出瞳までの光軸Ｌｃ上における距離は、空気換算長で１７．４８ｍｍである。正レンズＬa2の射出側レンズ面から想定したアイポイントＥまでの光軸Ｌｃ上における距離は、空気換算長で３３．２７ｍｍである。なお、図７に示す収差図はこのアイポイントＥの位置における収差を示したものである。
【実施例４】
【００７９】
図８は、ファインダー光学系と本実施例に係るファインダー用アタッチメント光学系の構成を示す図である。図９は、想定されるアイポイントにおける本実施例に係るファインダー用アタッチメント光学系の球面収差、非点収差、歪曲収差、倍率色収差を示す収差図である。
【００８０】
本実施例も実施例１乃至実施例３と同様にファインダー光学系Ｌfの射出側に、ファインダー用アタッチメント光学系Ｌaを接続する構成となっている。このファインダー光学系Ｌfは実施例１乃至実施例３と同様のものを用いているため、その説明は省略する。
【００８１】
本実施例のファインダー用アタッチメント光学系Ｌaは、実施例１、実施例２と同様に、ファインダー光学系Ｌf側から順に、両凹負レンズＬa1、両凸正レンズＬa2、により構成されている。なお、いずれのレンズ面も球面であるため、非球面を有するレンズに比べ製造コストを抑えることが可能である。
【００８２】
次に、ファインダー用アタッチメント光学系Ｌaを構成するレンズの数値データを示す。
【００８３】
面             ｒ                Ｄ               Ｎｄ            Ｖｄ
1           -21.3319           4.86             1.51633          64.14
2            24.5299           3.00 
3            96.1279           9.54             1.51633          64.14
4           -19.1563
【００８４】
また、上記各条件式に係るデータは、
条件式（１）  ：  ｜ｆ１／ｆ２｜＝０．６７
条件式（２）  ：  ＨＦ１／（ｄ１＋ｄ２＋ｄ３）＝０．０８３
条件式（３）  ：  （ｄ１＋ｄ２＋ｄ３）／ｆ２＝０．５４７
条件式（４）  ：  （Ｒ１＋Ｒ２）／（Ｒ１−Ｒ２）＝−０．０７
条件式（５）  ：  （Ｒ３＋Ｒ４）／（Ｒ３−Ｒ４）＝０．６７
条件式（６）  ：  ｄ１＋ｄ２＋ｄ３＝１７．４０（ｍｍ）
条件式（７）  ：  ＨＦ１＝１．４３８４（ｍｍ）
条件式（８）  ：  ｄ１／（ｄ１＋ｄ２＋ｄ３）＝０．２７９２
条件式（９）  ：  ｄ２／（ｄ１＋ｄ２＋ｄ３）＝０．１７２
である。なお、
ｆ１＝−２１．３２８３（ｍｍ）
ｆ２＝３１．８３３３（ｍｍ）
である。
【００８５】
また、ファインダー光学系ＬfのカバーガラスＣＧの射出側ガラス面から負レンズＬa1の入射側レンズ面頂点までの光軸Ｌｃ上における距離は５．８３ｍｍである。正レンズＬa2の射出側レンズ面の頂点から投影される射出瞳までの光軸Ｌｃ上における距離は、空気換算長で１４．３５ｍｍである。正レンズＬa2の射出側レンズ面から想定したアイポイントＥまでの光軸Ｌｃ上における距離は、空気換算長で３５．５５ｍｍである。なお、図９に示す収差図はこのアイポイントＥの位置における収差を示したものである。
【実施例５】
【００８６】
図１０は、ファインダー光学系と本実施例に係るファインダー用アタッチメント光学系の構成を示す図である。図１１は、想定されるアイポイントにおける本実施例に係るファインダー用アタッチメント光学系の球面収差、非点収差、歪曲収差、倍率色収差を示す収差図である。
【００８７】
本実施例も実施例１乃至実施例４と同様にファインダー光学系Ｌfの射出側に、ファインダー用アタッチメント光学系Ｌaを接続する構成となっている。このファインダー光学系Ｌfは実施例１乃至実施例４と同様のものを用いているため、その説明は省略する。
【００８８】
本実施例のファインダー用アタッチメント光学系Ｌaは、実施例１、実施例２と同様に、ファインダー光学系Ｌf側から順に、両凹負レンズＬa1、両凸正レンズＬa2、により構成されている。なお、いずれのレンズ面も球面であるため、非球面を有するレンズに比べ製造コストを抑えることが可能である。
【００８９】
次に、ファインダー用アタッチメント光学系Ｌaを構成するレンズの数値データを示す。
【００９０】
面             ｒ                Ｄ               Ｎｄ            Ｖｄ
1           -21.5409           2.98             1.51633          64.14
2            23.2754           2.86 
3            97.4803          11.56             1.51633          64.14
4           -19.1652
【００９１】
また、上記各条件式に係るデータは、
条件式（１）  ：  ｜ｆ１／ｆ２｜＝０．６６
条件式（２）  ：  ＨＦ１／（ｄ１＋ｄ２＋ｄ３）＝０．０５３
条件式（３）  ：  （ｄ１＋ｄ２＋ｄ３）／ｆ２＝０．５４２
条件式（４）  ：  （Ｒ１＋Ｒ２）／（Ｒ１−Ｒ２）＝−０．０４
条件式（５）  ：  （Ｒ３＋Ｒ４）／（Ｒ３−Ｒ４）＝０．６７
条件式（６）  ：  ｄ１＋ｄ２＋ｄ３＝１７．４０（ｍｍ）
条件式（７）  ：  ＨＦ１＝０．９２２３（ｍｍ）
条件式（８）  ：  ｄ１／（ｄ１＋ｄ２＋ｄ３）＝０．１７１０
条件式（９）  ：  ｄ２／（ｄ１＋ｄ２＋ｄ３）＝０．１６５
である。なお、
ｆ１＝−２１．１８８（ｍｍ）
ｆ２＝３２．１０２９（ｍｍ）
である。
【００９２】
また、ファインダー光学系ＬfのカバーガラスＣＧの射出側ガラス面から負レンズＬa1の入射側レンズ面頂点までの光軸Ｌｃ上における距離は６．３１ｍｍである。正レンズＬa2の射出側レンズ面の頂点から投影される射出瞳までの光軸Ｌｃ上における距離は、空気換算長で１３．１４ｍｍである。正レンズＬa2の射出側レンズ面から想定したアイポイントＥまでの光軸Ｌｃ上における距離は、空気換算長で３３．９３ｍｍである。なお、図１１に示す収差図はこのアイポイントＥの位置における収差を示したものである。
【実施例６】
【００９３】
図１２は、ファインダー光学系と本実施例に係るファインダー用アタッチメント光学系の構成を示す図である。図１３は、想定されるアイポイントにおける本実施例に係るファインダー用アタッチメント光学系の球面収差、非点収差、歪曲収差、倍率色収差を示す収差図である。
【００９４】
本実施例も実施例１乃至実施例５と同様にファインダー光学系Ｌfの射出側に、ファインダー用アタッチメント光学系Ｌaを接続する構成となっている。このファインダー光学系Ｌfは実施例１乃至実施例５と同様のものを用いているため、その説明は省略する。
【００９５】
本実施例のファインダー用アタッチメント光学系Ｌaは、実施例１、実施例２と同様に、ファインダー光学系Ｌf側から順に、両凹負レンズＬa1、両凸正レンズＬa2、により構成されている。なお、いずれのレンズ面も球面であるため、非球面を有するレンズに比べ製造コストを抑えることが可能である。
【００９６】
次に、ファインダー用アタッチメント光学系Ｌaを構成するレンズの数値データを示す。
【００９７】
面             ｒ                Ｄ               Ｎｄ            Ｖｄ
1           -20.8065           3.55             1.51633          64.14
2            23.0857           3.62 
3            99.1722          10.24             1.51633          64.14
4           -18.9333
【００９８】
また、上記各条件式に係るデータは、
条件式（１）  ：  ｜ｆ１／ｆ２｜＝０．６５
条件式（２）  ：  ＨＦ１／（ｄ１＋ｄ２＋ｄ３）＝０．０６２
条件式（３）  ：  （ｄ１＋ｄ２＋ｄ３）／ｆ２＝０．５４８
条件式（４）  ：  （Ｒ１＋Ｒ２）／（Ｒ１−Ｒ２）＝−０．０５
条件式（５）  ：  （Ｒ３＋Ｒ４）／（Ｒ３−Ｒ４）＝０．６８
条件式（６）  ：  ｄ１＋ｄ２＋ｄ３＝１７．４０（ｍｍ）
条件式（７）  ：  ＨＦ１＝１．０８（ｍｍ）
条件式（８）  ：  ｄ１／（ｄ１＋ｄ２＋ｄ３）＝０．２０３８
条件式（９）  ：  ｄ２／（ｄ１＋ｄ２＋ｄ３）＝０．２０８
である。なお、
ｆ１＝−２０．６２７２（ｍｍ）
ｆ２＝３１．７２７２（ｍｍ）
である。
【００９９】
また、ファインダー光学系ＬfのカバーガラスＣＧの射出側ガラス面から負レンズＬa1の入射側レンズ面頂点までの光軸Ｌｃ上における距離は６．２６ｍｍである。正レンズＬa2の射出側レンズ面の頂点から投影される射出瞳までの光軸Ｌｃ上における距離は、空気換算長で１３．７７ｍｍである。正レンズＬa2の射出側レンズ面から想定したアイポイントＥまでの光軸Ｌｃ上における距離は、空気換算長で４１．２７ｍｍである。なお、図１３に示す収差図はこのアイポイントＥの位置における収差を示したものである。
【０１００】
次に、以上のような本発明のファインダー用アタッチメント光学系を用いた防水カメラケースの例を説明する。
【０１０１】
図１４に示すように、防水カメラケース１は、カメラ２を内蔵し水圧下において水の浸入を防止するケース体１１と、ケース体１１に設置された操作手段３と、カメラ２のファインダー光学系Ｌfと光学的に接続しておりその射出側に配置されたファインダー用アタッチメント光学系Ｌa（ここでは実施例６のもの）とにより構成されている。
【０１０２】
まず、カメラ２に備えられているファインダー光学系Ｌfについて説明する。ファインダー光学系Ｌfは、カメラ２の撮影レンズ２１側から入射した光束を、カメラの横方向(紙面垂直方向)に折り曲げてファインダー光路を形成すると共に、退避により撮影レンズからの光束をＣＣＤ等の撮像素子ＣＣＤに導くクイックリターンミラー(図示せず)を有している。そして、そのクイックリターンミラーにより光束が反射された先には、すりガラスの表面やパターン構造を備えた微小プリズム面を有するピント面（図示せず）が配置されている。なお、このピント面は上記結像面に相当する面である。ピント面を通過した光束は、３つの反射面によって反射される。つまり、クイックリターンミラーとその３つの反射面によってポロミラー状に光路が反射され、光束がカメラ２の接眼レンズに導かれる。このようにしてファインダー光学系Ｌfは、ピント面上の像を拡大し、虚像として物体像を観察できる構成となっている。
【０１０３】
次に、防水カメラケースを構成する各部材について説明する。ケース体１は、ケース体前半部１１とケース体後半部１２とレンズポート１３により構成されている。
【０１０４】
ケース体前半部１１は、ケース体後半部１２との取付部と、レンズポート１３との取付部に、合成ゴム製のＯリング４１、４２を配置するための溝を形成しており、それらの溝にＯリング４１、４２を配置したうえで、それらを変形させてケース体後半部１２とレンズポート１３を取付けることにより、水圧下であっても効果的に水の浸入を防げるようにしている。
【０１０５】
なお、ケース体前半部１１とケース体後半部１２との取付けは、それぞれに設けられている図示しないバックル等により行われ、ケース体前半部１１とレンズポート１３との取付けは、複数のネジ５によって行われている。ただし、それらの取付け方はこれらの方法に限られるものではない。また、Ｏリング４１、４２はそれぞれ１つずつ配置するだけではなく、それぞれの取付部に複数の溝を設けて複数のＯリング４１、４２を配置しても良く、そのようにすることにより、防水カメラケース１の防水効果をより高めることができる。
【０１０６】
ケース体後半部１２は、その背面部（ケース体１の後部）に、ファインダー用アタッチメント光学系Ｌaを、その光軸がカメラ２本体のファインダー光学系Ｌfの光軸と一致するようにして取付けている。また、ファインダー用アタッチメント光学系Ｌaの正レンズＬa2の射出側レンズ面と空気接触面となるようにして、略平行平板の透明なカバーガラスＣＧ１を有している。なお、このカバーガラスＣＧ１に代わり樹脂により形成した透明部材を用いても良い。
【０１０７】
ケース体後半部１２をこのような構成とすることによって、撮影者は水中マスク６を装着した状態であっても、ファインダーを覗いたときに適度な視野角を持つ良好な被写体像の観察をすることができる。
【０１０８】
レンズポート１３は、ケース体前半部１１の被写体側に取付けられているが、このレンズポート１３はカメラ２本体の撮影レンズ２１に入射する光線をけらないように透明なカバーガラスＣＧ２を有している。なお、ここではカバーガラスＣＧ２を平行平板としているが、同心球面となる入射面及び射出面を持つドーム状の形状や、広角撮影に有利な形状としても良い。また、このカバーガラスＣＧ２に代わり樹脂により形成した透明部材を用いても良い。また、レンズポート１３は、カメラ２本体に取付けられる撮影レンズ２１の種類に対応して種々変更できるようにしても良い。
【０１０９】
次に、操作手段３を構成する各部材について説明する。操作手段３は、ケース体後半部１２に取付けられており、押圧部３１ａと係止部３１ｂを有する操作キー３１と、コイルバネ３２とによって構成されている。
【０１１０】
この操作キー３１はケース体後半部１２を貫通しており、操作キー３１の押圧動作が、カメラ２本体の有するレリーズボタンや撮影条件を設定するボタンなどの操作部材２２に、押圧部３１ａを介して伝わる構成となっている。また、コイルバネ３２は、上記の押圧動作後に、操作キー３１と一体的に設けられた係止部３１ｂがケース体後半部１２の内面に当接するまで、操作キー３１を復帰させるように付勢している。
【０１１１】
なお、操作手段３は上記のような押圧式のものに限らず、ダイヤル式のもの等を用いても良い。また、電気信号をカメラ２に送信し撮影条件を制御する構成としても良い。
【０１１２】
このように、防水カメラケースは、ケース体１がファインダー用アタッチメント光学系Ｌaを備えることにより、アイポイントＥが適切な位置に変位しているため、水中マスク６を装着している状態であっても、被写体の観察時に操作キーが邪魔にならず水中撮影が良好に行える。また、操作手段３を備えることにより、カメラ２を水中でも操作することが可能となっている。
【図面の簡単な説明】
【０１１３】
【図１】本発明の実施例１に係るファインダー用アタッチメント光学系とファインダー光学系の構成を示す図である。
【図２】本発明の実施例１に係るファインダー光学系の収差曲線図である。
【図３】本発明の実施例１に係るファインダー用アタッチメント光学系の収差曲線図である。
【図４】本発明の実施例２に係るファインダー用アタッチメント光学系とファインダー光学系の構成を示す図である。
【図５】本発明の実施例２に係るファインダー用アタッチメント光学系の収差曲線図である。
【図６】本発明の実施例３に係るファインダー用アタッチメント光学系とファインダー光学系の構成を示す図である。
【図７】本発明の実施例３に係るファインダー用アタッチメント光学系の収差曲線図である。
【図８】本発明の実施例４に係るファインダー用アタッチメント光学系とファインダー光学系の構成を示す図である。
【図９】本発明の実施例４に係るファインダー用アタッチメント光学系の収差曲線図である。
【図１０】本発明の実施例５に係るファインダー用アタッチメント光学系とファインダー光学系の構成を示す図である。
【図１１】本発明の実施例５に係るファインダー用アタッチメント光学系の収差曲線図である。
【図１２】本発明の実施例６に係るファインダー用アタッチメント光学系とファインダー光学系の構成を示す図である。
【図１３】本発明の実施例６に係るファインダー用アタッチメント光学系の収差曲線図である。
【図１４】本発明に係るファインダー用アタッチメント光学系を含む、防水カメラケースの構成を示す図である。
【符号の説明】
【０１１４】
ＣＣＤ         撮像素子
ＣＧ１、ＣＧ２ カバーガラス
Ｅ             アイポイント
Ｌｃ           光軸
Ｌa             ファインダー用アタッチメント光学系
Ｌa1            負レンズ
Ｌa2            正レンズ
Ｌf             ファインダー光学系
Ｌf1            正メニスカスレンズ
Ｌf2            両凸正レンズ
Ｌf3            両凹負レンズ
１             ケース体
１１           ケース体前半部
１２           ケース体後半部
１３           レンズポート
２             カメラ
２１           撮影レンズ
２２           操作部材
３             操作手段
３１           操作キー
３１ａ         押圧部
３１ｂ         係止部
３２           コイルバネ
４１、４２     Ｏリング
５             ネジ
６             水中マスク
【図１】
2007003625.tif 000003
【図２】
2007003625.tif 000004
【図３】
2007003625.tif 000005
【図４】
2007003625.tif 000006
【図５】
2007003625.tif 000007
【図６】
2007003625.tif 000008
【図７】
2007003625.tif 000009
【図８】
2007003625.tif 000010
【図９】
2007003625.tif 000011
【図１０】
2007003625.tif 000012
【図１１】
2007003625.tif 000013
【図１２】
2007003625.tif 000014
【図１３】
2007003625.tif 000015
【図１４】
2007003625.tif 000016